(57)【特許請求の範囲】
【請求項１】
下端部にパンチ刃部（７）を備えたパンチボディ（９）を上下動自在に内装したパンチガイド（３）の上部に、円筒形状のスプリングカラー（１１）を着脱可能かつ回転不能に装着して設け、このスプリングカラー（１１）内にリング状の昇降部材（１５）を上下動自在に内装すると共に、この昇降部材（１５）と前記スプリングカラー（１１）の底部との間に強力な弾性部材（１７）を弾装して設け、前記昇降部材（１５）と当接して上方向への移動を規制自在なロック部材（２１）を前記スプリングカラー（１１）の上部に螺着固定して設け、前記昇降部材（１５）と下端部が当接自在のパンチヘッド（２３）を、前記ロック部材（２１）に上下動自在かつ所定角度回動調節自在に設けると共に、前記ロック部材（２１）から上方向に突出した前記パンチヘッド（２３）の上端部にフランジ部を設け、前記スプリングカラー（１１）及び前記昇降部材（１５）を貫通して前記パンチボディ（９）の上端部を前記パンチヘッド（２３）に下側から調節自在に螺着してあることを特徴とする金型装置。
【請求項２】
請求項１に記載の金型装置において、ロック部材とパンチヘッドとの間に、当該ロック部材に対して前記パンチヘッドを回動不能に固定自在のロック装置を設けたことを特徴とする金型装置。
【請求項３】
請求項２に記載の金型装置において、ロック装置は、パンチヘッドに形成した係合凹部に対して係脱自在のロック片と、当該ロック片を上記係合凹部に対して係脱するための操作部材とを備えたことを特徴とする金型装置。
【発明の詳細な説明】
【０００１】
【発明の属する技術分野】
本発明は、例えばタレットパンチプレスなどのごときパンチプレスに装着して使用される金型装置に係り、さらに詳細には、工具を用いることなしにハイト調整を容易に行うことのできる金型装置に関する。
【０００２】
【従来の技術】
従来の金型装置としての例えばパンチ金型は、タレットパンチプレスなどのパンチプレスにおけるパンチホルダ（上部タレット）に上下動自在に装着されるパンチガイド内にパンチボディを上下動自在に内装し、上記パンチガイドの上部に装着したリテーナカラーと前記パンチボディの上端部に上下動調節可能に螺着したパンチヘッドとの間に強力なストリッパースプリングを弾装した構成が一般的である。
【０００３】
【発明が解決しようとする課題】
前述のごとき構成において、パンチボディの先端部を再研磨してパンチヘッドの上面からパンチボディの先端部までの寸法を調整すべく、パンチボディに対してパンチヘッドを相対的に回動する場合、リテーナカラーとパンチヘッドとの間に弾装したストリッパースプリングが強力であるので、治具を必要とするものであり、前述のごとき調整が厄介であった。
【０００４】
そこで、ストリッパースプリングの付勢力に影響されることなくハイト調整を行うことのできる金型が開発されており、その先行例として、例えば特開平１０−２４４３２７号公報がある。この先行例においては、ストリッパースプリングを内装したスプリングカラー内にパンチヘッドが埋設された態様であって、ハイト調整時には前記スプリングカラーからパンチヘッドを大きく突出せしめる必要があり、ハイト調整の操作が厄介であると共に、全体的構成が比較的複雑であるという問題がある。
【０００５】
【課題を解決するための手段】
本発明は、前述のごとき従来の問題に鑑みてなされたもので、下端部にパンチ刃部（７）を備えたパンチボディ（９）を上下動自在に内装したパンチガイド（３）の上部に、円筒形状のスプリングカラー（１１）を着脱可能かつ回転不能に装着して設け、このスプリングカラー（１１）内にリング状の昇降部材（１５）を上下動自在に内装すると共に、この昇降部材（１５）と前記スプリングカラー（１１）の底部との間に強力な弾性部材（１７）を弾装して設け、前記昇降部材（１５）と当接して上方向への移動を規制自在なロック部材（２１）を前記スプリングカラー（１１）の上部に螺着固定して設け、前記昇降部材（１５）と下端部が当接自在のパンチヘッド（２３）を、前記ロック部材（２１）に上下動自在かつ所定角度回動調節自在に設けると共に、前記ロック部材（２１）から上方向に突出した前記パンチヘッド（２３）の上端部にフランジ部を設け、前記スプリングカラー（１１）及び前記昇降部材（１５）を貫通して前記パンチボディ（９）の上端部を前記パンチヘッド（２３）に下側から調節自在に螺着してあることを特徴とするものである。
【０００６】
請求項２に係る発明は、請求項１に記載の金型装置において、ロック部材とパンチヘッドとの間に、当該ロック部材に対して前記パンチヘッドを回動不能に固定自在のロック装置を設けた構成である。
【０００７】
請求項３に係る発明は、請求項２に記載の金型装置において、ロック装置は、パンチヘッドに形成した係合凹部に対して係脱自在のロック片と、当該ロック片を上記係合凹部に対して係脱するための操作部材とを備えた構成である。
【０００８】
【発明の実施の形態】
図１を参照するに、本発明の一実施の形態に係る金型装置１は、例えばタレットパンチプレス等のごときパンチプレスにおけるパンチホルダ（上部タレット、図示省略）に上下動自在に支持される円筒形状のパンチガイド３を備えており、このパンチガイド３内には、上記パンチガイド３の下端部に備えたストリッパープレート５を貫通する下端部にパンチ刃部７を備えたパンチボディ９が上下動自在に内装支持されている。
【０００９】
上記パンチガイド３の上部には円筒形状のスプリングカラー１１が着脱可能かつピン１３を介して相対的に回転不能に装着してある。上記スプリングカラー１１内に上下動自在に内装したリング状の昇降部材１５と上記スプリングカラー１１の底部との間には、付勢手段として強力なストリッパースプリング等のごとき弾性部材１７が弾装してある。
【００１０】
そして、上記昇降部材１５と当接して上方向への移動を規制自在の下面を昇降規制部１９として備えたロック部材２１が上記スプリングカラー１１の上部に螺着固定してあり、このロック部材２１には、下端部が前記昇降部材１５と当接自在のパンチヘッド２３が上下動自在かつ所定角度回動調節自在に設けてある。なお、前記パンチヘッド２３の下端部付近には、ロック部材２１からパンチヘッド２３が抜け出ることを防止するためのストッパリング２５が取付けてあると共に、上記ロック部材２１の下面には上記ストッパリング２５が出入自在の適宜深さの凹部２７が形成されている。上記ロック部材２１から上方向に突出したパンチヘッド２３の上端部には大径のフランジ部が設けられている。
【００１１】
そして、前記パンチヘッド２３には、前記スプリングカラー１１及び昇降部材１５を貫通した前記パンチボディ９の上端部が上下調節可能に螺着してある。なお、パンチガイド３とパンチボディ９は、通常の構成と同様にキー２９によって回転しないように保持されている。
【００１２】
したがって、常態においては、弾性部材１７の作用によって昇降部材１５が上昇されてロック部材２１の下面１９に当接し、パンチヘッド２３に設けたストッパリング２５は凹部２７内に位置し、パンチヘッド２３の下端部はパンチボディ９の重量によって昇降部材１５の上面に当接支持された状態にある。そして、パンチボディ９の下端部に備えたパンチ刃部７はストリッパープレート５の下面より上方位置に位置するものである。なお、図１には、パンチボディ９が最下降された状態が図示されている。
【００１３】
前記ロック部材２１に対して前記パンチヘッド２３を回動不能に固定自在かつ固定を解除したときに回動を許容自在のロック装置３１が設けられている。より詳細には、前記パンチヘッド２３の胴部の外周面には、図２，図３に示すように、複数の係合凹部３３が適宜間隔に設けてある。この係合凹部３３はパンチヘッド２３の軸心と平行な上下方向の長溝によって形成してある。
【００１４】
そして、前記ロック部材２１の内周面に形成した径方向の収納凹部３５内には、前記係合凹部３３に対して係合離脱自在のボール，ピン等のごときロック片３７が収納されており、かつロック部材２１には、前記係合凹部３３に対して前記ロック片３７を係脱するための操作部材３９が設けられている。
【００１５】
より詳細には、ロック部材２１には前記パンチヘッド２３の軸心に対して直交する水平な方向の収納孔４１が設けてあり、この収納孔４１内に前記操作部材３９が摺動自在に嵌入されている。この操作部材３９は、収納孔４１の底部との間に弾装したコイルスプリングのごとき弾性部材４３の作用によって抜け出す方向へ付勢されているが、上記操作部材３９に設けた長孔４５を貫通したピン４７によって抜け止めされている。
【００１６】
そして、上記操作部材３９が前記ロック片３７に対応した位置には、前記ロック片３７を前記パンチヘッド２３の係合凹部３３側へ押圧する小凹部４９Ｓとロック片３７が前記収納凹部３５内へ入り込むことを許容する大凹部４９Ｌを連続して備えた操作凹部４９が形成してある。
【００１７】
上記構成により、常態においては、図２に示すように、弾性部材４３の作用によって操作部材３９は突出される方向へ移動され、操作凹部４９の小凹部４９Ｓがロック片３７を係合凹部３３に係合保持した状態にあって、ロック部材２１に対してパンチヘッド２３は回転しないように固定された状態にある。なお、ロック片３７が係合凹部３３に係合した状態であっても係合凹部３３は上下方向に長い溝状に形成してあるので、パンチヘッド２３はロック部材２１に対して上下動自在である。
【００１８】
以上のごとき構成において、パンチボディ９を上下調節してパンチヘッド２３の上面からパンチボディ９のパンチ刃部７までの寸法を調節してハイト調整を行うには、先ず、図２に示す状態において操作部材３９を弾性部材４３の付勢力に抗して収納孔４１内に押し込み、上記操作部材３９に形成した操作凹部４９の大凹部４９Ｌをロック片３７に対向せしめる。
【００１９】
上述のごとく大凹部４９Ｌをロック片３７に対向せしめると、ロック片３７は大凹部４９Ｌ内に受け入れられて収納凹部３５側へ移動してパンチヘッド２３の係合凹部３３から離脱し、ロック部材２１に対してパンチヘッド２３を回動可能な状態となる。
【００２０】
したがって、ロック片３７を係合凹部３３から離脱した状態においてロック部材２１に対してパンチヘッド２３のフランジ部を保持して回動すると、パンチボディ９に対して、パンチヘッド２３を回動することとなり、図１においてパンチヘッド２３に対してパンチボディ９を上下調節することができるものである。
【００２１】
上述のごとくパンチヘッド２３を回動するとき、昇降部材１５はロック部材２１の昇降規制部としての下面１９に当接し、強力な弾性部材１７の付勢力はロック部材２１によって受けるので、パンチヘッド２３の下端部と昇降部材１５との当接部分にはパンチボディ９の重量が作用しているにすぎないものであるから、前述のごときパンチヘッド２３の回動操作を軽く行うことができるものである。
【００２２】
その後に、所望の係合凹部３３にロック片３７を係合せしめ、操作部材３９の押し込みを解除すると、操作凹部４９の小凹部４９Ｓが上記ロック片３７を係合凹部３３側へ押圧し係合した状態を保持するものである。
【００２３】
なお、パンチボディ９のパンチ刃部７の再研磨を行う場合は、前述したようにパンチヘッド２３を回動してパンチヘッド２３とパンチボディ９の上端部との螺合状態を解除することにより、パンチボディ９をパンチガイド３から下方向へ抜き出すことができ、前記パンチ刃部７の再研磨を行うことができるものである。
【００２４】
【発明の効果】
以上のごとき説明より理解されるように、本発明によれば、工具を用いることなしにパンチヘッドを固定状態，回動可能な状態に操作できることは勿論のこと、パンチヘッドを回動するに際してパンチヘッド等を上下方向に移動せしめる操作が不要であり、かつ回動可能な状態においてパンチヘッドを回動することにより、当該パンチヘッドと螺合したパンチボディを上下に調節できるものであり、そのハイト調整の操作が容易であると共に、上下動する必要がないので、構成がより簡単になるものである。
【図面の簡単な説明】
【図１】本発明の実施の形態に係る金型装置の断面説明図である。
【図２】本発明の実施の形態に係る金型装置の主要部分を示す拡大平断面説明図である。
【図３】本発明の実施の形態に係る金型装置の主要部分を示す拡大平断面説明図である。
【符号の説明】
１  金型装置
３  パンチガイド
７  パンチ刃部
９  パンチボディ
１１  スプリングカラー
１５  昇降部材
１７，４３  弾性部材
１９  昇降規制部（下面）
２１  ロック部材
２３  パンチヘッド
３１  ロック装置
３３  係合凹部
３５  収納凹部
３７  ロック片
３９  操作部材
４９  操作凹部
【図１】
0004499221.tif 000002
【図２】
0004499221.tif 000003
【図３】
0004499221.tif 000004